(57)【要約】【課題】複数の品種の光源モジュールに適用可能な安定した動作の点灯装置及び照明装置を提供する。【解決手段】実施形態によれば、接続部と電力供給部と電流検出部と制御部とを備えた点灯装置が提供される。接続部は、光源モジュールに接続され、第１経路または第２経路を形成する。電流供給部は、スイッチング素子と、スイッチング素子に流れる電流を平滑化する出力コンデンサとを含み、接続部に接続され、第１直流電力と第２直流電力との一方を光源モジュールに供給する。電流検出部は、スイッチング素子に流れる電流の検出に用いる。制御部は、第１経路に接続されているときに、第１直流電力を供給させ、第２経路に接続されているときに、第２直流電力を供給させる。制御部は、前記電流が閾値以上である場合に、スイッチング素子をオフ状態にする。【選択図】図１
2015144098.tif 000002
【特許請求の範囲】
【請求項１】
光源モジュールと電気的に接続されることにより、第１経路または前記第１経路と異なる第２経路の少なくとも２つの経路を形成する接続部と、
スイッチング素子と、前記スイッチング素子に流れる電流を平滑化する出力コンデンサと、を含み、前記接続部と電気的に接続され、前記スイッチング素子のスイッチングにより、第１直流電力と、前記第１直流電力と異なる第２直流電力と、のいずれか一方を前記光源モジュールに供給する電力供給部と、
前記スイッチング素子に流れる平滑前の前記電流を検出するための電流検出部と、
前記第１経路に接続されているときに、前記電力供給部に前記第１直流電力を前記光源モジュールに供給させ、前記第２経路に接続されているときに、前記電力供給部に前記第２直流電力を前記光源モジュールに供給させる制御部と、
を備え、
前記制御部は、前記電流検出部と電気的に接続され、前記電流が閾値以上であると判定した場合に、前記スイッチング素子をオフ状態にする
点灯装置。
【請求項２】
前記制御部は、前記スイッチング素子のスイッチングを制御する駆動回路を含み、前記電流が閾値以上であると判定した場合に、前記駆動回路に前記スイッチング素子をオフ状態にさせる請求項１記載の点灯装置。
【請求項３】
前記制御部は、前記スイッチング素子のスイッチングを制御する駆動回路を含み、前記電流が閾値以上であると判定した場合に、前記駆動回路への電源供給を停止することによって、前記スイッチング素子をオフ状態にする請求項１記載の点灯装置。
【請求項４】
前記電力供給部は、第１出力端子と第２出力端子とを有し、前記第１出力端子と前記第２出力端子とから前記第１直流電力及び前記第２直流電力のいずれか一方を前記光源モジュールに供給し、
前記接続部は、前記第１出力端子と電気的に接続された第１接続端子と、前記第２出力端子と電気的に接続された第２接続端子と、前記第２出力端子と電気的に接続された第３接続端子と、を有し、前記第１接続端子と前記第２接続端子とによって前記第１経路が形成され、前記第１接続端子と前記第３接続端子とによって前記第２経路が形成され、
前記第１出力端子の電位は、前記第２出力端子の電位よりも高い請求項１〜３のいずれか１つに記載の点灯装置。
【請求項５】
前記第２接続端子と前記第３接続端子との分岐部分に設けられた抵抗をさらに備え、
前記電力供給部は、ダイオードとインダクタとをさらに含む降圧チョッパであり、
前記電流検出部は、前記出力コンデンサと前記ダイオードとの間に設けられた電流検出抵抗であり、
前記第１経路に前記光源モジュールが接続されている時と、前記第２経路に前記光源モジュールが接続されている時とで、前記制御部に入力される検出電圧を変化させる請求項４記載の点灯装置。
【請求項６】
光源モジュールと、
請求項１〜５のいずれか１つに記載の点灯装置と、
を備えた照明装置。
【発明の詳細な説明】
【技術分野】
【０００１】
本発明の実施形態は、点灯装置及び照明装置に関する。
【背景技術】
【０００２】
ＬＥＤなどの光源を有する光源モジュールに接続して用いられる点灯装置がある。光源モジュールと点灯装置とを含む照明装置がある。点灯装置は、商用電源などから供給される交流電圧を、光源モジュールに対応した電圧に変換し、変換後の電圧を光源モジュールに供給することにより、光源モジュールの光源を点灯させる。また、点灯装置では、明るさなどの異なる複数の品種の光源モジュールに適用可能にすることが行われている。こうした点灯装置において、より安定した動作が望まれる。
【先行技術文献】
【特許文献】
【０００３】
【特許文献１】特開２０１０−２０５４５３号公報
【発明の概要】
【発明が解決しようとする課題】
【０００４】
本発明の実施形態は、複数の品種の光源モジュールに適用可能な安定した動作の点灯装置及び照明装置を提供する。
【課題を解決するための手段】
【０００５】
本発明の実施形態によれば、接続部と、電力供給部と、電流検出部と、制御部と、を備えた点灯装置が提供される。前記接続部は、光源モジュールと電気的に接続されることにより、第１経路または前記第１経路と異なる第２経路の少なくとも２つの経路を形成する。前記電力供給部は、スイッチング素子と、前記スイッチング素子に流れる電流を平滑化する出力コンデンサと、を含み、前記接続部と電気的に接続され、前記スイッチング素子のスイッチングにより、第１直流電力と、前記第１直流電力と異なる第２直流電力と、のいずれか一方を前記光源モジュールに供給する。前記電流検出部は、前記スイッチング素子に流れる平滑前の前記電流の検出に用いられる。前記制御部は、前記第１経路に接続されているときに、前記電力供給部に前記第１直流電力を前記光源モジュールに供給させ、前記第２経路に接続されているときに、前記電力供給部に前記第２直流電力を前記光源モジュールに供給させる。前記制御部は、前記電流検出部と電気的に接続され、前記電流が閾値以上であると判定した場合に、前記スイッチング素子をオフ状態にする。
【発明の効果】
【０００６】
複数の品種の光源モジュールに適用可能な安定した動作の点灯装置及び照明装置が提供される。
【図面の簡単な説明】
【０００７】
【図１】第１の実施形態に係る点灯装置を模式的に表すブロック図である。
【図２】図２（ａ）及び図２（ｂ）は、第１の実施形態に係る点灯装置と光源モジュールとの電気的な接続の一例を模式的に表すブロック図である。
【図３】第１電流及び第２電流の一例を模式的に表すグラフ図である。
【図４】第２の実施形態に係る点灯装置を模式的に表すブロック図である。
【図５】図５（ａ）及び図５（ｂ）は、第３の実施形態に係る照明器具を模式的に表す斜視図である。
【図６】第３の実施形態に係る光源モジュールを模式的に表す分解斜視図である。
【発明を実施するための形態】
【０００８】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００９】
（第１の実施形態）  
図１は、第１の実施形態に係る点灯装置を模式的に表すブロック図である。  
図１に表したように、点灯装置１０は、制御部１２と、接続部１４と、電力供給部１６と、接続検出部１８と、を備える。
【００１０】
点灯装置１０は、例えば、交流電源４と電気的に接続される。点灯装置１０には、交流電源４から交流電力が供給される。交流電源４は、例えば、商用電源である。交流電源４は、例えば、自家発電機などでもよい。なお、点灯装置１０に供給される電力は、直流電力などでもよい。点灯装置１０に供給される電力が直流電力である場合は、後述する整流回路２６が省略される。以下では、点灯装置１０に交流電力が供給される場合を例に説明を行う。
【００１１】
点灯装置１０は、光源モジュール１００（図２（ａ）及び図２（ｂ）参照）と電気的に接続される。点灯装置１０は、交流電源４から供給される交流電力を光源モジュール１００に対応した直流電力に変換して光源モジュール１００に供給する。これにより、点灯装置１０は、光源モジュール１００を点灯させる。
【００１２】
接続部１４は、光源モジュール１００との電気的な接続に用いられる。接続部１４は、光源モジュール１００と電気的に接続されることにより、第１経路Ｐ１または第１経路Ｐ１と異なる第２経路Ｐ２の少なくとも２つの経路を形成する。接続部１４と光源モジュール１００とを電気的に接続することにより、第１経路Ｐ１と第２経路Ｐ２とのいずれか一方が形成される。換言すれば、接続部１４は、第１経路Ｐ１と第２経路Ｐ２とのいずれか一方で光源モジュール１００と電気的に接続される。
【００１３】
電力供給部１６は、接続部１４と電気的に接続される。電力供給部１６は、第１直流電力と、第１直流電力と異なる第２直流電力と、を接続部１４に接続された光源モジュール１００に対して供給することができる。
【００１４】
接続検出部１８は、接続部１４への光源モジュール１００の接続を検出する。すなわち、接続検出部１８は、第１経路Ｐ１に光源モジュール１００が接続されているか否かを検出するとともに、第２経路Ｐ２に光源モジュール１００が接続されているか否かを検出する。
【００１５】
制御部１２は、光源モジュール１００の接続を接続検出部１８で検出する。制御部１２は、光源モジュール１００が第１経路Ｐ１に接続されているときに、電力供給部１６に第１直流電力を光源モジュール１００に供給させる。そして、制御部１２は、光源モジュール１００が第２経路Ｐ２に接続されているときに、電力供給部１６に第２直流電力を光源モジュール１００に供給させる。
【００１６】
このように、点灯装置１０では、第１経路Ｐ１に接続された光源モジュール１００に対しては、第１直流電力を供給し、第２経路Ｐ２に接続された光源モジュール１００に対しては、第２直流電力を供給する。これにより、点灯装置１０では、明るさや発光色などの異なる複数の品種の光源モジュール１００に対して共通に適用することができる。
【００１７】
例えば、第２直流電力を第１直流電力よりも大きく設定する。そして、比較的明るさまたは色温度の低い品種の光源モジュール１００（例えば３０００ルーメン未満、または４０００Ｋ以下）は、第１経路Ｐ１に接続する。比較的明るさの高い品種の光源モジュール１００（例えば３０００ルーメン以上、または５０００Ｋ以上）は、第２経路Ｐ２に接続する。これにより、点灯装置１０では、明るさの異なる複数の品種の光源モジュール１００のそれぞれに対して、適切な電力を供給することができる。
【００１８】
また、点灯装置１０では、１つの接続検出部１８で、第１経路Ｐ１への光源モジュール１００の接続、及び、第２経路Ｐ２への光源モジュール１００の接続を検出する。これにより、例えば、第１経路Ｐ１への光源モジュール１００の接続を検出する回路と、第２経路Ｐ２への光源モジュール１００の接続を検出する回路と、を設ける場合に比べて、部品点数の増加を抑えることができる。例えば、点灯装置１０のコスト増を抑えることができる。接続検出部１８は、例えば、制御部１２内に設けてもよい。
【００１９】
点灯装置１０は、フィルタ回路２４、整流回路２６、突入防止回路２８、電源電圧検出回路３０、力率改善回路３２、平滑コンデンサ３４、及び、制御用電源回路３６をさらに含む。これらの各部は、点灯装置１０に必要に応じて設けられ、省略可能である。
【００２０】
フィルタ回路２４は、交流電源４と電気的に接続される。フィルタ回路２４は、例えば、交流電源４から供給される交流電力に含まれるノイズを抑制する。
【００２１】
整流回路２６は、フィルタ回路２４に電気的に接続される。整流回路２６は、フィルタ回路２４を介して入力された交流電圧を整流して整流電圧に変換する。整流回路２６には、例えば、４つの整流素子を組み合わせたダイオードブリッジが用いられる。すなわち、整流回路２６は、全波整流器である。整流電圧は、例えば、脈流電圧である。
【００２２】
整流回路２６は、一対の入力端子２６ａ、２６ｂと、高電位出力端子２６ｃと、低電位出力端子２６ｄと、を有する。入力端子２６ａ、２６ｂは、フィルタ回路２４と電気的に接続されている。整流回路２６は、入力端子２６ａ、２６ｂを介して入力される交流電圧を整流電圧に変換し、高電位出力端子２６ｃ及び低電位出力端子２６ｄから出力する。低電位出力端子２６ｄの電位は、基準電位（例えば接地電位）に設定される。高電位出力端子２６ｃの電位は、低電位出力端子２６ｄの電位よりも高い電位に設定される。
【００２３】
整流回路２６は、半波整流器などでもよい。整流電圧は、全波整流された脈流でもよいし、半波整流された脈流でもよい。整流回路２６には、例えば、ショットキーバリアダイオードが用いられる。これにより、例えば、良好な応答性を得ることができる。
【００２４】
突入防止回路２８は、高電位出力端子２６ｃと電気的に接続されている。突入防止回路２８は、電源投入時に生じる突入電流を抑制する。
【００２５】
電源電圧検出回路３０は、突入防止回路２８の出力に接続されている。電源電圧検出回路３０は、例えば、突入防止回路２８の出力と低電位出力端子２６ｄとの間に接続される。電源電圧検出回路３０は、交流電源４から供給される交流電圧の異常を検出する。電源電圧検出回路３０は、例えば、整流回路２６で整流された整流電圧を基に、交流電圧の異常を検出する。電源電圧検出回路３０は、例えば、整流電圧の実効値が所定の範囲内にあるか否かを判定し、所定の範囲内にないときに、交流電圧を異常と判定する。すなわち、電源電圧検出回路３０は、交流電圧の実効値が過度に小さいときや過度に大きいときに、交流電圧を異常と判定する。
【００２６】
電源電圧検出回路３０は、制御部１２と電気的に接続されている。電源電圧検出回路３０は、交流電圧の異常の検出結果を示す信号を制御部１２に出力する。制御部１２は、電源電圧検出回路３０によって交流電圧の異常が検出されたときに、電力供給部１６に光源モジュール１００への第１直流電力または第２直流電力の供給を停止させる。これにより、例えば、異常な電圧の印加による光源モジュール１００の故障などを抑制することができる。
【００２７】
力率改善回路３２は、突入防止回路２８の出力と低電位出力端子２６ｄとの間に接続される。力率改善回路３２は、整流電圧において、電源周波数の整数倍の高調波の発生を抑制する。これにより、力率改善回路３２は、整流電圧の力率を改善する。
【００２８】
力率改善回路３２は、例えば、スイッチング素子４１と、インダクタ４２と、ダイオード４３と、を含む。スイッチング素子４１は、電極４１ａ〜電極４１ｃを有する。インダクタ４２の一端は、突入防止回路２８の出力（高電位出力端子２６ｃ）と電気的に接続されている。インダクタ４２の他端は、電極４１ａと電気的に接続されている。電極４１ｂは、低電位出力端子２６ｄと電気的に接続されている。ダイオード４３のアノードは、電極４１ａと電気的に接続されている。ダイオード４３のカソードは、平滑コンデンサ３４の一端と電気的に接続されている。平滑コンデンサ３４の他端は、低電位出力端子２６ｄと電気的に接続されている。すなわち、この例において、力率改善回路３２は、昇圧チョッパ回路である。力率改善回路３２は、これに限ることなく、整流電圧の力率を改善することができる任意の回路でよい。
【００２９】
電極４１ｃは、制御部１２と電気的に接続されている。電極４１ｃは、いわゆる制御電極である。スイッチング素子４１は、制御部１２からの信号に応じてスイッチングする。力率改善回路３２は、例えば、スイッチング素子４１をスイッチングさせ、入力電流を正弦波の半端波形に近づけることにより、力率を改善する。
【００３０】
スイッチング素子４１は、例えば、ｎチャネル形のＦＥＴである。例えば、電極４１ａは、ドレインであり、電極４１ｂは、ソースであり、電極４１ｃは、ゲートである。スイッチング素子４１は、例えば、ｐチャネル形のＦＥＴでもよいし、バイポーラトランジスタなどでもよい。
【００３１】
平滑コンデンサ３４は、力率改善後の脈流電圧を平滑化することにより、脈流電圧を直流電圧に変換する。
【００３２】
制御用電源回路３６は、例えば、平滑コンデンサ３４の高電位側の一端と電気的に接続される。これにより、制御用電源回路３６には、平滑コンデンサ３４によって平滑された直流電圧が入力される。制御用電源回路３６は、平滑コンデンサ３４によって平滑された直流電圧を、制御部１２の駆動電圧に変換して、制御部１２に供給する。制御部１２は、制御用電源回路３６からの電力供給に応じて駆動する。
【００３３】
電力供給部１６は、第１入力端子１６ａと、第２入力端子１６ｂと、第１出力端子１６ｃと、第２出力端子１６ｄと、を有する。第１入力端子１６ａは、平滑コンデンサ３４の高電位側の一端と電気的に接続される。第２入力端子１６ｂは、低電位出力端子２６ｄと電気的に接続される。これにより、電力供給部１６には、直流電圧が供給される。
【００３４】
電力供給部１６は、直流の入力電力を第１直流電力又は第２直流電力に変換する。そして、電力供給部１６は、第１出力端子１６ｃと第２出力端子１６ｄとから第１直流電力又は第２直流電力を光源モジュール１００に供給する。第１直流電力は、入力電力と異なる。第２直流電力は、入力電力及び第１直流電力と異なる。第１直流電力の電圧値は、例えば、入力電力の電圧値よりも低い。第２直流電力の電圧値は、例えば、入力電力の電圧値よりも低く、第１直流電力の電圧値よりも高い。
【００３５】
電力供給部１６に入力される入力電力は、脈流電力や交流電力でもよい。例えば、入力電力が交流である場合、電力供給部１６は、入力電力を整流する整流器や整流電力を平滑化する平滑コンデンサなどを含んでもよい。
【００３６】
電力供給部１６は、例えば、スイッチング素子４５と、ダイオード４６と、インダクタ４７と、出力コンデンサ４８と、を含む。スイッチング素子４５は、電極４５ａと、電極４５ｂと、電極４５ｃと、を含む。電極４５ａは、第１入力端子１６ａと電気的に接続されている。電極４５ｂは、ダイオード４６のカソードと電気的に接続されている。ダイオード４６のアノードは、低電位出力端子２６ｄと電気的に接続されている。インダクタ４７の一端は、電極４５ｂと電気的に接続されている。インダクタ４７の他端は、第１出力端子１６ｃと電気的に接続されている。第２出力端子１６ｄは、低電位出力端子２６ｄ（第２入力端子１６ｂ）と電気的に接続されている。
【００３７】
出力コンデンサ４８は、第１電極４８ａと、第２電極４８ｂと、を含む。第１電極４８ａは、第１出力端子１６ｃと電気的に接続されている。第２電極４８ｂは、第２出力端子１６ｄと電気的に接続されている。出力コンデンサ４８は、第１出力端子１６ｃと第２出力端子１６ｄとの間に並列に接続される。出力コンデンサ４８は、スイッチング素子４５のスイッチングによって、スイッチング素子４５の各電極４５ａ、４５ｂ間に流れる電流を平滑化する。これにより、第１出力端子１６ｃ及び第２出力端子１６ｄから直流電力が出力される。
【００３８】
この例において、電力供給部１６は、降圧チョッパ回路である。電力供給部１６は、入力電力の電圧を降圧することにより、第１直流電力及び第２直流電力を生成する。電力供給部１６は、例えば、定電流回路である。電力供給部１６は、例えば、実質的に一定の電流を光源モジュール１００に出力する。
【００３９】
第１出力端子１６ｃは、高電位側の出力端子であり、第２出力端子１６ｄは、低電位側の出力端子である。第１出力端子１６ｃの電位は、第２出力端子１６ｄの電位よりも高い。これにより、第１電極４８ａの電位は、第２電極４８ｂの電位よりも高く設定される。第１電極４８ａは、例えば、陽極であり、第２電極４８ｂは、例えば、陰極である。これとは反対に、第２出力端子１６ｄの電位を第１出力端子１６ｃの電位より高くしてもよい。
【００４０】
制御部１２は、駆動回路６０を含む。駆動回路６０は、スイッチング素子４５の電極４５ｃと電気的に接続されている。電極４５ｃは、いわゆる制御電極である。駆動回路６０は、スイッチング素子４５のスイッチングを制御する。すなわち、駆動回路６０は、スイッチング素子４５のオン・オフを切り替える。駆動回路６０は、電極４５ｃに入力する電圧（制御信号）によって、スイッチング素子４５のオン・オフを切り替える。駆動回路６０は、例えば、スイッチング素子４５をスイッチングさせることにより、直流電圧を出力コンデンサ４８の各電極４８ａ、４８ｂ間に生じさせる。これにより、電力供給部１６から光源モジュール１００に電力が供給される。
【００４１】
ここで、スイッチング素子４５のオフ状態とは、例えば、主電極である電極４５ａ、４５ｂの間に実質的に電流が流れない状態である。オフ状態では、例えば、電力供給部１６の動作に影響を与えない程度の微弱な電流が電極４５ａ、４５ｂの間に流れてもよい。すなわち、スイッチング素子４５のオン状態とは、換言すれば、電極４５ａ、４５ｂの間に電流が流れる第１状態であり、オフ状態とは、電極４５ａ、４５ｂの間に流れる電流が、第１状態よりも小さい第２状態である。
【００４２】
駆動回路６０は、例えば、スイッチング素子４５をオフ状態にすることにより、電力供給部１６から光源モジュール１００への電力の供給を停止させる。また、駆動回路６０は、例えば、スイッチング素子４５のオン・オフの周期（デューティ比）を変化させることにより、第１直流電力と第２直流電力とを変化させる。
【００４３】
制御部１２は、１チップ化された１つの集積回路で構成してもよいし、複数の集積回路を組み合わせて構成してもよい。駆動回路６０は、１つの集積回路内に設けられた論理ブロックでもよいし、独立した制御ＩＣでもよい。
【００４４】
この例において、電力供給部１６は、例えば、第１定電流の電力を第１直流電力として光源モジュール１００に供給し、第２定電流の電力を第２直流電力として光源モジュール１００に供給する。第２定電流の電流値は、例えば、第１定電流の電流値よりも大きい。第１定電流の電流値は、例えば、２１０ｍＡである。第２定電流の電流値は、例えば、３２０ｍＡである。第１定電流の電流値及び第２定電流の電流値は、これに限らない。第１定電流の電流値及び第２定電流の電流値は、例えば、光源モジュール１００の照射光の明るさなどに応じて適宜設定すればよい。例えば、第２定電流の電流値を、第１定電流の電流値より小さくしてもよい。
【００４５】
第１直流電力及び第２直流電力は、定電流の電力に限ることなく、例えば、定電圧の電力や定電力の電力などでもよい。第１直流電力及び第２直流電力は、光源モジュール１００に応じて適宜設定すればよい。第２直流電力は、第１直流電力と異なる任意の電力でよい。
【００４６】
スイッチング素子４５は、例えば、ｎチャネル形のＦＥＴである。例えば、電極４５ａは、ドレインであり、電極４５ｂは、ソースであり、電極４５ｃは、ゲートである。スイッチング素子４５は、例えば、ｐチャネル形のＦＥＴでもよいし、バイポーラトランジスタなどでもよい。
【００４７】
電力供給部１６は、上記の回路に限ることなく、第１直流電力と第２直流電力とを光源モジュール１００に対して供給可能な任意の回路でよい。電力供給部１６は、例えば、複数の電源を有し、第１の電源から第１直流電力を供給し、第２の電源から第２直流電力を供給する回路でもよい。
【００４８】
接続部１４は、例えば、第１接続端子１４ａと、第２接続端子１４ｂと、第３接続端子１４ｃと、を有する。この例では、第１接続端子１４ａと第２接続端子１４ｂとによって、第１経路Ｐ１が形成される。そして、第１接続端子１４ａと第３接続端子１４ｃとによって、第２経路Ｐ２が形成される。接続部１４に含まれる接続端子の数は、４つ以上でもよい。また、接続部１４の経路の数は、３つ以上でもよい。
【００４９】
第１接続端子１４ａは、第１出力端子１６ｃと電気的に接続されている。第２接続端子１４ｂは、第２出力端子１６ｄと電気的に接続されている。第３接続端子１４ｃは、第２出力端子１６ｄと電気的に接続されている。従って、第１経路Ｐ１では、第１接続端子１４ａから第２接続端子１４ｂに向けて電流が流れる。第２経路Ｐ２では、第１接続端子１４ａから第３接続端子１４ｃに向けて電流が流れる。このように、この例では、高電位側の第１出力端子１６ｃを共通とし、低電位側の第２出力端子１６ｄを分岐させることによって、第１経路Ｐ１と第２経路Ｐ２とを形成している。これにより、例えば、回路構成を容易にすることができる。
【００５０】
点灯装置１０は、第１抵抗５１と、第２抵抗５２と、をさらに含む。第１抵抗５１は、第２入力端子１６ｂと出力コンデンサ４８の第２電極４８ｂとの間に電気的に接続されている。換言すれば、第１抵抗５１は、ダイオード４６のアノードと出力コンデンサ４８の第２電極４８ｂとの間に電気的に接続されている。第２出力端子１６ｄは、第１抵抗５１を介して低電位出力端子２６ｄと電気的に接続される。
【００５１】
制御部１２は、第１抵抗５１と電気的に接続されている。制御部１２は、例えば、第１抵抗５１と第２電極４８ｂとの間に電気的に接続されている。これにより、制御部１２には、第１抵抗５１の電圧が、第１検出電圧Ｖｄｅｔ１として入力される。制御部１２は、第１検出電圧Ｖｄｅｔ１を基に、スイッチング素子４５に流れる第１電流Ｃ１を検出する。第１電流Ｃ１は、より詳しくは、スイッチング素子４５の各電極４５ａ、４５ｂ間に流れる電流である。すなわち、第１抵抗５１は、スイッチング素子４５に流れる電流を検出するための電流検出部である。第１抵抗５１は、電流検出抵抗である。
【００５２】
第１電流Ｃ１を検出する電流検出部は、第１抵抗５１に限らない。例えば、インダクタ４７に磁気結合した別のインダクタによって第１電流Ｃ１を検出してもよい。電流検出部は、第１電流Ｃ１を検出可能な任意の構成でよい。
【００５３】
第２抵抗５２は、出力コンデンサ４８の第２電極４８ｂと第２接続端子１４ｂとの間に電気的に接続されている。換言すれば、第２抵抗５２は、出力コンデンサ４８の第２電極４８ｂと光源モジュール１００との間に電気的に接続される。
【００５４】
第１抵抗５１の抵抗値Ｒ１は、例えば、０．８２Ωである。第２抵抗５２の抵抗値Ｒ２は、例えば、０．３９Ωである。
【００５５】
第１経路Ｐ１に光源モジュール１００を接続した場合には、第１抵抗５１と第２抵抗５２とが直列に接続される。このため、第１経路Ｐ１に光源モジュール１００を接続した場合には、第１抵抗５１と第２抵抗５２との合成抵抗で発生した電圧が、第２検出電圧Ｖｄｅｔ２として制御部１２に入力される。
【００５６】
一方、第２経路Ｐ２に光源モジュール１００を接続した場合には、第１抵抗５１で発生した電圧が、第２検出電圧Ｖｄｅｔ２として制御部１２に入力される。
【００５７】
点灯装置１０では、第２接続端子１４ｂと第３接続端子１４ｃとの分岐部分に第２抵抗５２を設けている。すなわち、低電位側の分岐部分に第２抵抗５２を設けている。そして、第１経路Ｐ１に光源モジュール１００が接続されている時と、第２経路Ｐ２に光源モジュール１００が接続されている時とで、制御部１２に入力される第２検出電圧Ｖｄｅｔ２を変化させる。
【００５８】
また、第２検出電圧Ｖｄｅｔ２は、光源モジュール１００に供給される出力電圧に比例する。すなわち、第２検出電圧Ｖｄｅｔ２は、第１直流電力の電圧値又は第２直流電力の電圧値に比例する。制御部１２は、第２検出電圧Ｖｄｅｔ２を基に、光源モジュール１００に流れる第２電流Ｃ２を検出する。制御部１２は、検出した第２電流Ｃ２に基づいて、駆動回路６０をフィードバック制御する。駆動回路６０は、第２電流Ｃ２の検出値を基に、第２電流Ｃ２の電流値が実質的に一定になるように、スイッチング素子４５のスイッチングを制御する。これにより、光源モジュール１００に流れる第２電流Ｃ２を適切に制御することができる。例えば、第２電流Ｃ２を定電流制御することができる。
【００５９】
第１抵抗５１及び第２抵抗５２は、さらに、光源モジュール１００に流れる第２電流Ｃ２を検出するための電流検出部としても機能する。
【００６０】
上記のように、第１抵抗５１で第１電流Ｃ１の検出を行うとともに、各抵抗５１、５２で第２電流Ｃ２の検出を行う。これにより、点灯装置１０の回路構成を簡潔にすることができる。点灯装置１０の部品点数を削減することができる。例えば、点灯装置１０の製造コストを抑えることができる。
【００６１】
接続検出部１８は、例えば、第１出力端子１６ｃと第２出力端子１６ｄとの間に電気的に接続される。接続検出部１８は、例えば、第１出力端子１６ｃと第２出力端子１６ｄとの間の電位差を参照することにより、接続部１４への光源モジュール１００の接続を検出する。このように、接続検出部１８は、第２接続端子１４ｂと第３接続端子１４ｃとの分岐部分よりも入力側に接続されている。これにより、前述のように、部品点数の増加を抑えることができる。接続検出部１８は、制御部１２と電気的に接続されている。接続検出部１８は、例えば、検出結果を示す信号を制御部１２に出力する。
【００６２】
制御部１２は、例えば、電力供給部１６から光源モジュール１００に第１直流電力または第２直流電力を供給している状態において、光源モジュール１００の接続の解除を接続検出部１８が検出したときに、電力供給部１６に光源モジュール１００への第１直流電力または第２直流電力の供給を停止させる。
【００６３】
そして、制御部１２は、例えば、光源モジュール１００の接続を接続検出部１８が再び検出したときに、光源モジュール１００への第１直流電力または第２直流電力の供給を電力供給部１６に再開させる。すなわち、光源モジュール１００が第１経路Ｐ１に接続されているか、第２経路Ｐ２に接続されているかを判定し、判定結果に応じて第１直流電力または第２直流電力を光源モジュール１００に供給させる。
【００６４】
点灯装置には、光源モジュールが一度取り外されて光源モジュールへの電力供給を停止した場合に、光源モジュールを再び接続しても光源モジュールへの電力供給を再開しないものがある。この場合、光源モジュールを再接続した後に、点灯装置自体の電源、すなわち交流電源４から点灯装置への電力供給を一度オフした後、再度オンしなければならない。
【００６５】
これに対して、本実施形態に係る点灯装置１０では、光源モジュール１００を再接続するだけで、光源モジュール１００への電力供給も再開される。これにより、例えば、点灯装置１０の利便性を向上させることができる。例えば、点灯装置１０と光源モジュール１００とを含む照明器具を天井などに設置する場合の作業性を向上させることができる。
【００６６】
点灯装置１０は、調光回路５５をさらに含む。調光回路５５には、例えば、外部の壁スイッチなどから調光信号が入力される。調光信号は、例えば、調光器などによって導通角制御された交流電圧などでもよい。調光回路５５は、制御部１２と電気的に接続されている。調光回路５５は、例えば、調光信号に基づいて、調光度を表す信号を生成し、その信号を制御部１２に入力する。調光度を表す信号とは、例えば、調光度に応じたデューティ比のＰＷＭ信号などである。駆動回路６０は、例えば、調光回路５５から入力された信号に基づいて、スイッチング素子４５のスイッチングを制御する。これにより、調光信号に応じた調光度で光源モジュール１００が調光される。光源モジュール１００の明るさが、調光信号に応じて制御される。
【００６７】
図２（ａ）及び図２（ｂ）は、第１の実施形態に係る点灯装置と光源モジュールとの電気的な接続の一例を模式的に表すブロック図である。  
図２（ａ）及び図２（ｂ）に表したように、光源モジュール１００は、例えば、光源１０２と、被接続部１０４と、を含む。光源モジュール１００は、例えば、複数の光源１０２を含む。この例では、各光源１０２が、直列に接続されている。各光源１０２は、例えば、並列に接続してもよいし、直列接続と並列接続とを組み合わせてもよい。光源１０２の数は、任意でよい。光源１０２の数は、例えば、１つでもよい。
【００６８】
光源１０２には、例えば、発光ダイオード（Light Emitting Diode：ＬＥＤ）が用いられる。光源１０２は、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでもよい。光源１０２は、例えば、電球などでもよい。以下では、光源１０２をＬＥＤとして説明を行う。
【００６９】
また、光源モジュール１００は、例えば、ダイオード１０６と、抵抗１０８（検出用抵抗）と、をさらに含む。ダイオード１０６は、直列に接続された各光源１０２に対して並列に接続される。このとき、ダイオード１０６の順方向は、ＬＥＤである各光源１０２の順方向に対して逆向きである。これにより、ダイオード１０６は、各光源１０２への電流の逆流を抑制する。
【００７０】
抵抗１０８は、各光源１０２に対して並列に接続される。抵抗１０８は、点灯装置１０において、光源モジュール１００の接続の検出に用いられる。抵抗１０８の抵抗値は、例えば、３００ｋΩである。抵抗１０８の抵抗値は、これに限ることなく、任意の値でよい。
【００７１】
接続検出部１８は、抵抗１０８を接続部１４に接続したときの第１出力端子１６ｃと第２出力端子１６ｄとの間の電位差と、抵抗１０８を接続部１４に接続していないときの第１出力端子１６ｃと第２出力端子１６ｄとの間の電位差と、を比較することにより、接続部１４への光源モジュール１００の接続を検出する。
【００７２】
さらに、接続検出部１８は、光源モジュール１００の接続を検出したときに、第１出力端子１６ｃと第２出力端子１６ｄとの間の電位差が所定の範囲内にあるか否かを判定する。そして、接続検出部１８は、第１出力端子１６ｃと第２出力端子１６ｄとの間の電位差が所定の範囲内にある場合にのみ、光源モジュール１００が接続されたと判定する。換言すれば、接続検出部１８は、抵抗１０８の抵抗値が所定の範囲内にあるか否かを判定し、所定の範囲内にある場合にのみ、光源モジュール１００が接続されたと判定する。このように、接続検出部１８は、適正な抵抗値の抵抗１０８が接続された場合にのみ、光源モジュール１００が接続されたと判定する。
【００７３】
抵抗１０８の抵抗値が適正な範囲にない場合には、例えば、制御部１２に接続の検出が入力されない。従って、抵抗１０８の抵抗値が適正な範囲にない場合には、光源モジュール１００が点灯しない。例えば、抵抗１０８の抵抗値が適正な範囲にない場合には、接続検出部１８から制御部１２に異常の検出を報知してもよい。これにより、例えば、異なる製品の光源モジュールや不正な光源モジュールなどが、点灯装置１０に接続されて使用されてしまうことを抑制することができる。
【００７４】
被接続部１０４は、点灯装置１０の接続部１４と電気的に接続される。また、被接続部１０４は、例えば、接続部１４に機械的に取り付けられる。光源モジュール１００は、例えば、被接続部１０４を介して点灯装置１０の第１経路Ｐ１または第２経路Ｐ２に接続される。
【００７５】
被接続部１０４は、第１被接続端子１０４ａと、第２被接続端子１０４ｂと、第３被接続端子１０４ｃと、を有する。第１被接続端子１０４ａは、被接続部１０４を接続部１４に取り付けた状態において、第１接続端子１４ａと電気的に接続される。第２被接続端子１０４ｂは、被接続部１０４を接続部１４に取り付けた状態において、第２接続端子１４ｂと電気的に接続される。第３被接続端子１０４ｃと、被接続部１０４を接続部１４に取り付けた状態において、第３接続端子１４ｃと電気的に接続される。
【００７６】
図２（ａ）に表したように、第１の品種の光源モジュール１００ａでは、各光源１０２のアノードが第１被接続端子１０４ａと電気的に接続され、各光源１０２のカソードが第２被接続端子１０４ｂと電気的に接続されている。これにより、光源モジュール１００ａでは、接続部１４と被接続部１０４とを接続することで、第１経路Ｐ１に接続される。第１直流電力の供給により、第１接続端子１４ａから第２接続端子１４ｂに向けて電流が流れ、各光源１０２が点灯する。
【００７７】
図２（ｂ）に表したように、第２の品種の光源モジュール１００ｂでは、各光源１０２のアノードが第１被接続端子１０４ａと電気的に接続され、各光源１０２のカソードが第３被接続端子１０４ｃと電気的に接続されている。これにより、光源モジュール１００ｂでは、接続部１４と被接続部１０４とを接続することで、第２経路Ｐ２に接続される。第２直流電力の供給により、第１接続端子１４ａから第３接続端子１４ｃに向けて電流が流れ、各光源１０２が点灯する。
【００７８】
このように、第１直流電力を供給する品種の光源モジュール１００ａと、第２直流電力を供給する品種の光源モジュール１００ｂとで、被接続部１０４と各光源１０２との電気的な接続を変えておく。これにより、第１直流電力を供給する品種の光源モジュール１００ａを誤って第２経路Ｐ２に接続し、第２直流電力を供給してしまうことを抑制することができる。
【００７９】
このように、点灯装置１０及び光源モジュール１００では、接続部１４と被接続部１０４とを接続するだけで、各品種の光源モジュール１００ａ、１００ｂを第１経路Ｐ１または第２経路Ｐ２に適切に接続することができる。これにより、例えば、誤接続を適切に抑制することができる。さらには、取り付けの作業性を向上させることもできる。
【００８０】
また、接続部１４と被接続部１０４の接続は、例えば、互いに係合する凹凸などによって、機械的に一方向に限定されている。これにより、例えば、接続部１４と被接続部１０４との向きを誤って接続してしまうことを抑制することができる。例えば、第１接続端子１４ａが、第３被接続端子１０４ｃと電気的に接続されてしまうことを抑制することができる。
【００８１】
接続部１４及び被接続部１０４は、例えば、少なくとも３つの端子を有し、機械的かつ電気的に互いに接続される一対のコネクタＣＮ１、ＣＮ２である。例えば、接続部１４は、第１経路Ｐ１用のコネクタと、第２経路Ｐ２用のコネクタと、を有していてもよい。例えば、接続部１４と被接続部１０４とを機械的に接続する部分は、複数あってもよい。
【００８２】
図３は、第１電流及び第２電流の一例を模式的に表すグラフ図である。  
図３に表したように、第１電流Ｃ１は、周期的に変化する。第１電流Ｃ１は、出力コンデンサ４８に平滑される前の電流である。第１電流Ｃ１は、例えば、スイッチング素子４５のオンの区間において増加し、スイッチング素子４５のオフの区間において減少する。第１電流Ｃ１の波形は、例えば、三角波状である。第１電流Ｃ１は、いわゆるパルス電流である。スイッチング素子４５のスイッチング周期Ｔは、例えば、２０μｓ程度である。
【００８３】
一方、第２電流Ｃ２は、出力コンデンサ４８の平滑後の電流であり、前述のように、実質的に一定の電流である。第２電流Ｃ２の電流値の変化は、第１電流Ｃ１の電流値の変化よりも小さい。
【００８４】
制御部１２は、第１電流Ｃ１が所定の閾値以上か否かを判定する。制御部１２は、第１電流Ｃ１が閾値以上である場合、第１電流Ｃ１が過電流であると判断する。すなわち、制御部１２は、第１電流Ｃ１の検出値と閾値とを基に、第１電流Ｃ１の過電流を検出する。駆動回路６０は、第１電流Ｃ１が閾値以上であると判定された場合に、スイッチング素子４５をオフ状態にする。これにより、制御部１２は、第１電流Ｃ１の過電流を抑制する。例えば、過電流にともなうスイッチング素子４５の故障を抑制することができる。これにより、点灯装置１０の動作を安定させることができる。
【００８５】
なお、第１電流Ｃ１が所定の閾値以上か否かの判定は、第１検出電圧Ｖｄｅｔ１を駆動回路６０に入力することにより、駆動回路６０内で行ってもよい。
【００８６】
制御部１２は、例えば、光源モジュール１００に第１直流電力を供給している場合と、光源モジュール１００に第２直流電力を供給している場合とで、閾値を変化させてもよい。制御部１２は、例えば、第１直流電力を供給している場合には、第１電流Ｃ１に対して第１閾値Ｌ１を設定し、第２直流電力を供給している場合には、第１電流Ｃ１に対して第２閾値Ｌ２を設定する。例えば、第２直流電力が第１直流電力よりも大きい場合には、第２閾値Ｌ２を第１閾値Ｌ１よりも高くする。なお、第２直流電力を供給している場合の閾値は、第１直流電力を供給している場合の閾値と同じでもよい。
【００８７】
制御部１２には、コンデンサ６２が接続されている。制御部１２は、例えば、第１電流Ｃ１が閾値以上であると判定された時に、コンデンサ６２を所定時間充電する。コンデンサ６２の充電時間は、スイッチング素子４５のスイッチング周期よりも短い。また、コンデンサ６２に充電された電荷は、充電を行っていない状態において、放電される。１回の充電でコンデンサ６２に蓄積された電荷の放電にかかる時間は、スイッチング素子４５のスイッチング周期よりも長い。
【００８８】
駆動回路６０は、第１電流Ｃ１が閾値以上であると判定されてスイッチング素子４５をオフ状態にした後、次のスイッチングのタイミングでスイッチング素子４５を再びオン状態にする。スイッチング素子４５をオン状態にした時に、第１電流Ｃ１が再び閾値以上であった場合には、コンデンサ６２がさらに充電されてコンデンサ６２の電圧が上昇する。一方、第１電流Ｃ１が閾値未満であった場合には、コンデンサ６２が放電されてコンデンサ６２の電圧が低下する。
【００８９】
制御部１２は、コンデンサ６２の電圧を検出し、コンデンサ６２の電圧が所定値以上であるか否かを判定する。制御部１２は、コンデンサ６２の電圧が所定値以上であると判定した場合、駆動回路６０の動作を停止させる。駆動回路６０は、スイッチング素子４５をオフ状態で保持する。すなわち、制御部１２は、光源モジュール１００への電力供給を停止する。
【００９０】
コンデンサ６２の電圧を判定する閾値は、例えば、コンデンサ６２が複数回充電された時に、電圧が閾値以上になる値に設定される。すなわち、制御部１２は、第１電流Ｃ１が閾値以上になる状態が、複数回連続して発生した時に、光源モジュール１００への電力供給を停止する。
【００９１】
制御部１２は、コンデンサ６２の電圧が所定値以上であると判定して駆動回路６０の動作を停止させた場合、所定の復帰動作が実行されるまで駆動回路６０の停止状態を維持する。復帰動作とは、例えば、点灯装置１０の電源オフである。すなわち、制御部１２は、交流電源４からの電力供給が停止され、点灯装置１０全体の動作が停止するまで、駆動回路６０の停止状態を維持する。復帰動作は、例えば、制御部１２に対するリセット信号の入力などでもよい。
【００９２】
点灯装置１０では、例えば、交流電源４から供給される入力電圧の変動などによって、一時的に第１電流Ｃ１の過電流が発生した場合には、スイッチング素子４５がオフ状態にされて過電流が抑制されるとともに、その後は、通常の動作に戻る。一方、例えば、負荷の短絡（光源モジュール１００の短絡）などにより、第１電流Ｃ１の過電流が継続的に発生した場合には、復帰動作が実行されるまで駆動回路６０の動作が停止する。これにより、点灯装置１０の動作をより安定させることができる。
【００９３】
なお、コンデンサ６２の充電方法は、上記に限らない。例えば、第１電流Ｃ１が閾値以上であると判定している区間において、コンデンサ６２を充電してもよい。また、コンデンサ６２の充電量は、例えば、第１電流Ｃ１に応じて変化させてもよい。例えば、第１電流Ｃ１が大きい程、コンデンサ６２の充電量が多くなるようにしてもよい。
【００９４】
また、この例では、コンデンサ６２の電圧によって駆動回路６０の動作の停止を決定している。これに限ることなく、例えば、コンデンサ６２の充電時間や、第１電流Ｃ１が閾値以上であると判定された回数などに応じて、駆動回路６０の動作の停止を決定してもよい。
【００９５】
複数の品種の光源モジュールに共通に用いられる点灯装置において、出力コンデンサに平滑された後の電流（例えば第２電流Ｃ２）を基に、過電流を検出する構成がある。しかしながら、平滑後の電流では、入力電圧の変動や負荷の短絡などにともなう過渡的な変化を検出することが難しい。このため、例えば、電力変換を行うスイッチング素子に過大なパルス電流が流れ、スイッチング素子を故障させてしまう恐れがある。
【００９６】
これに対して、本実施形態にかかる点灯装置１０では、出力コンデンサ４８の平滑前の第１電流Ｃ１を検出し、第１電流Ｃ１を基に過電流を検出する。これにより、入力電圧の変動や負荷の短絡などに対する応答性を高めることができる。スイッチング素子４５に過電流が流れることを、より適切に抑えることができる。従って、本実施形態にかかる点灯装置１０では、安定した動作を得ることができる。例えば、スイッチング素子４５の故障を抑制することができる。
【００９７】
（第２の実施形態）
図４は、第２の実施形態に係る点灯装置を模式的に表すブロック図である。  
図４に表したように、本実施形態にかかる点灯装置８０では、電源切替回路６４が、制御部１２に設けられている。電源切替回路６４は、駆動回路６０と電気的に接続されている。電源切替回路６４は、駆動回路６０への電源の供給と、駆動回路６０への電源の供給の停止と、を切り替える。
【００９８】
この例において、制御部１２は、第１電流Ｃ１が閾値以上であると判定した場合に、電源切替回路６４に駆動回路６０への電源の供給を停止させる。このように、第１電流Ｃ１が閾値以上であると判定された場合に、駆動回路６０への電源供給を停止することによって、スイッチング素子４５をオフ状態にしてもよい。
【００９９】
例えば、コンデンサ６２の電圧が所定値以上であると判定された場合には、制御用電源回路３６から制御部１２への電源の供給を停止し、制御部１２自体の動作を停止させてもよい。
【０１００】
（第３の実施形態）  
図５（ａ）及び図５（ｂ）は、第３の実施形態に係る照明器具を模式的に表す斜視図である。  
図５（ａ）及び図５（ｂ）に表したように、照明器具２００（照明装置）は、点灯装置１０と、光源モジュール１００（光源モジュール１００ａ、１００ｂ）と、器具本体１２０と、を備える。点灯装置１０と光源モジュール１００とには、上記第１の実施形態で説明したものが用いられる。器具本体１２０は、点灯装置１０と光源モジュール１００とを支持する。
【０１０１】
照明器具２００は、例えば、光源モジュール１００を下方に向けた状態で室内の天井に取り付けられる。照明器具２００は、光源モジュール１００から照射される光によって、室内を照明する。なお、照明器具２００は、天井に限ることなく、例えば、壁面などに取り付けてもよい。器具本体１２０は、例えば、ネジなどによって天井に取り付けられる。このように、器具本体１２０は、点灯装置１０及び光源モジュール１００の支持に用いられるとともに、天井などの取付対象への照明器具２００の取り付けに用いられる。
【０１０２】
器具本体１２０は、光源モジュール１００の少なくとも一部を収容する凹部１２０ａを有する。点灯装置１０は、例えば、凹部１２０ａの内底面に取り付けられる。点灯装置１０は、例えば、凹部１２０ａ内に収容される。
【０１０３】
点灯装置１０は、例えば、ネジなどによって凹部１２０ａの内底面に取り付けられ、器具本体１２０に支持される。光源モジュール１００は、例えば、取付バネやネジなどによって器具本体１２０に取り付けられ、器具本体１２０に支持される。
【０１０４】
図６は、第３の実施形態に係る光源モジュールを模式的に表す分解斜視図である。  
図６に表したように、光源モジュール１００は、支持体１１１と、カバー１１２と、保持部材１１３と、を備える。
【０１０５】
支持体１１１は、基板１１５を支持する。基板１１５は、接着などによって支持体１１１に固定してもよいし、ネジ止めなどによって着脱可能に支持体１１１に取り付けてもよい。支持体１１１は、基板１１５を着脱可能に支持してもよい。基板１１５には、各光源１０２が設けられる。各光源１０２は、基板１１５の表面１１５ａに並べて配置される。
【０１０６】
基板１１５には、図示を省略した配線層が設けられている。各光源１０２は、配線層を介して互いに電気的に接続されている。また、配線層には、配線を介して被接続部１０４が電気的に接続されている。被接続部１０４は、例えば、配線及び基板１１５の配線層を介して各光源１０２と電気的に接続される。
【０１０７】
カバー１１２は、支持体１１１に取り付けられ、支持体１１１に支持された基板１１５を覆う。カバー１１２は、例えば、外力や塵埃などから基板１１５及び各光源１０２を保護する。カバー１１２は、光透過性を有する。カバー１１２は、各光源１０２の放出する光に対して光透過性である。カバー１１２は、例えば、透明である。カバー１１２は、例えば、光拡散性を有してもよい。カバー１１２には、例えば、光透過性の樹脂材料が用いられる。これにより、各光源１０２から放出された光が、カバー１１２を透過して外部に照射される。
【０１０８】
保持部材１１３は、カバー１１２を支持体１１１に保持する。すなわち、保持部材１１３は、カバー１１２を支持体１１１から外れないようにする。光源モジュール１００には、例えば、複数の保持部材１１３が設けられる。この例では、３つの保持部材１１３が設けられる。保持部材１１３の数は、任意でよい。保持部材１１３の数は、例えば、１つまたは２つでもよいし、４つ以上でもよい。
【０１０９】
照明器具２００を天井に設置する場合には、例えば、器具本体１２０を室内側から天井板などにネジ止めする。器具本体１２０には、例えば、光源モジュール１００の落下を抑制するための少なくとも２本のチェーン（図示は省略）が設けられている。例えば、２本のチェーンが、長手方向の両端付近に設けられる。光源モジュール１００の支持体１１１には、例えば、各チェーンに対応した複数のフックが設けられている。器具本体１２０を天井にネジ止めした後、これらの各チェーンの端部を光源モジュール１００のフックに引っ掛けて、光源モジュール１００を吊るす。
【０１１０】
光源モジュール１００を吊るした後、接続部１４と被接続部１０４とを接続することにより、点灯装置１０と光源モジュール１００とを電気的に接続する。配線の後、光源モジュール１００を器具本体１２０に支持させる。これにより、照明器具２００が天井に取り付けられる。
【０１１１】
このように、照明器具２００において、点灯装置１０を用いる。これにより、例えば、光源モジュール１００の明るさや発光色の異なる複数の品種の照明器具２００において、点灯装置１０を共通に適用することができる。例えば、複数の品種の照明器具２００の製造において、部品点数を削減することができる。例えば、照明器具２００の製造コストを抑えることができる。
【０１１２】
例えば、照明器具２００を天井などに取り付けた後、光源モジュール１００の明るさや発光色などを変更したい場合がある。光源モジュール１００の品種毎に点灯装置が設定されている場合には、光源モジュール１００の交換に合わせて点灯装置も変更する必要がある。
【０１１３】
これに対して、本実施形態に係る照明器具２００では、光源モジュール１００のみを交換して点灯装置１０に接続するだけでよい。従って、例えば、明るさや発光色などを変更する際のコストも抑えることができる。例えば、明るさや発光色などを変更する際に、点灯装置１０を着脱する必要がなく、交換の作業性を向上させることができる。
【０１１４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１５】
４…交流電源、１０…点灯装置、１２…制御部、１４…接続部、１６…電力供給部、１８…接続検出部、２４…フィルタ回路、２６…整流回路、２８…突入防止回路、３０…電源電圧検出回路、３２…力率改善回路、３４…平滑コンデンサ、３６…制御用電源回路、４１…スイッチング素子、４２…インダクタ、４３…ダイオード、４５…スイッチング素子、４６…ダイオード、４７…インダクタ、４８…出力コンデンサ、５１、５２…抵抗、５５…調光回路、６０…駆動回路、６２…コンデンサ、６４…電源切替回路、１００、１００ａ、１００ｂ…光源モジュール、１０２…光源、１０４…被接続部、１０６…ダイオード、１０８…抵抗、１１１…支持体、１１２…カバー、１１３…保持部材、１１５…基板、１２０…器具本体、２００…照明器具、Ｐ１…第１経路、Ｐ２…第２経路
【図１】
2015144098.tif 000003
【図２】
2015144098.tif 000004
【図３】
2015144098.tif 000005
【図４】
2015144098.tif 000006
【図５】
2015144098.tif 000007
【図６】
2015144098.tif 000008